(57)【要約】【課題】接続信頼性を向上させると共に、更なる狭ピッチ化、多ピン化、多接続線化及び小型化を図る。【解決手段】親基板８００  の複数のパターン電極８１０  と対応接続する親側コンタクト１１０  を１平面上に配列、保持、固定する親基板側コンタクト配列部１００  を設ける。それぞれが第１，第２の接点を持つ複数の中継コンタクト２１０  を、弾性変形可能なように保持する、親側中継インシュレータ及び子側中継インシュレータから成る中継コンタクトブロック２００  を設ける。子側中継インシュレータは親側中継インシュレータに対し、コンタクト配列方向にスライド可能な構造とする。子基板９００  に固定されてその電極に対する子側中継インシュレータをガイドする子基板側ガイド部３００  を設ける。中継コンタクトブロック２００  をスライド可能なように保持し、その親側中継インシュレータをガイドするフレームインシュレータ４００  を設ける。スライダ５００  により中継コンタクト２１０  を親側コンタクト１１０  及び子基板の電極に加圧接触させる。【選択図】        図１
2004273129.tif 000002
【特許請求の範囲】
【請求項１】
親基板に配列、形成された複数の電極と、前記親基板に搭載される子基板の、１つの辺に沿ってその表面に配列、形成された複数のパッド状電極と、の間を電気的に接続するコネクタであって、次の各構成を有することを特徴とするコネクタ。
（イ）それぞれその一方の端を前記親基板の複数の電極に対応接続し他方の端側に接触接続部を備えた複数の親側コンタクトと、これら複数の親側コンタクトを、その接触接続部が１つの平面内に配置されるように保持するインシュレータと、を含み、前記親基板の表面に配置、固定される親基板側コンタクト配列部
（ロ）それぞれその一方の端側に前記複数の親側コンタクトの接触接続部と対応接触接続する第１の接点を備え他方の端側には前記子基板の複数のパッド状電極と対応接触接続する第２の接点を備えて弾性線状部材で一体形成された、複数のコンタクトと、これら複数のコンタクトの一方の端側部分を、これらコンタクトが弾性変形可能なように、配列、保持する親側インシュレータと、前記複数のコンタクトの他方の端側部分を、これらコンタクトが弾性変形可能なように、配列、保持して前記子基板の複数のパッド状電極配置方向と平行にスライド可能なように、前記親側インシュレータに保持される子側インシュレータと、を含むコンタクトブロック
（ハ）前記子基板の、複数のパッド状電極の配列両端外側に配置、固定され、前記子側インシュレータの両端側面をガイドして前記複数のパッド状電極と前記複数のコンタクトの第２の接点との間を位置決めする、子基板側ガイド部
（ニ）前記コンタクトブロックを、その複数のコンタクトが前記親基板側コンタクト配列部及び子基板に対し接近、離反する方向にスライド可能なように保持し、かつ、その親側インシュレータの両端側面をガイドして前記複数の親側コンタクトの接触接続部と前記複数のコンタクトの第１の接点との間を位置決めする、フレームインシュレータ
（ホ）前記フレームインシュレータと前記コンタクトブロックとの間に挿入されて前記コンタクトブロックを前記フレームインシュレータ内でスライドさせ、前記複数のコンタクトの第１の接点と前記複数の親側コンタクトの接触接続部との間、及び前記複数のコンタクトの第２の接点と前記子基板の複数のパッド状電極との間、を対応、加圧接触接続させる、スライダ
【請求項２】
前記コンタクトブロックは、その複数のコンタクトがΣ字状に形成され、このΣ字状の、下辺側の鋭角に屈曲する部分の頂点を第１の接点とし、上辺側の鋭角に屈曲する部分の頂点を第２の接点とし、下辺横線部分が親側インシュレータに保持され、上辺横線部分が子側インシュレータに保持される構造である、請求項１記載のコネクタ。
【発明の詳細な説明】
【０００１】
【発明の属する技術分野】
本発明は中継に用いられるコネクタに関し、特に親基板に配列、形成された複数の電極と、子基板の１つの辺部分に配列、形成された複数の電極との間を電気的に接続するフローティング型のコネクタに属する。
【０００２】
【従来の技術】
親基板に配列、形成された複数の電極と、この親基板に搭載される子基板の、１つの辺に沿って配列、形成された複数の電極との間を電気的に接続する場合、一般的には、親基板の複数の電極に直接接続されてこの親基板に搭載、固定されるレセプタクル型のコネクタと、子基板の１つの辺部分の複数の電極と接続してこの１つの辺部分に固定されたプラグ型のコネクタと、を用い、これらレセプタクル型及びプラグ型のコネクタを互いに嵌合させることにより、親基板・子基板間を電気的に接続する例が多い。その一方で、親基板・子基板間の電気的接続の本数も増大傾向にあり、これらレセプタクル型及びプラグ型のものを複数対用い、これに対処するようになっている。この場合、これらレセプタクル型及びプラグ型のコネクタの嵌合状態を良好に保つために、特にレセプタクル型のコネクタをフローティング型とすることが多い。
【０００３】
このような、フローティング型中継コネクタの従来の一例を図５に示す。
このフローティング型中継コネクタは、親基板８００ｘに配列、形成された複数の電極（図示省略）と接続してこの親基板８００ｘに搭載されたレセプタクル型コネクタ６００ａ，６００ｂと、子基板９００ｘの１つの辺部分に固定されてこの１つの辺部分の複数の電極（図示省略）と接続し、レセプタクル型コネクタ６００ａ，６００ｂと嵌合するプラグ型コネクタ７００ａ，７００ｂと、を有して構成され、レセプタクル型コネクタ６００ａ（６００ｂ）は、複数の雌コンタクト６１０ａ（６１０ｂ）をガイド孔６２１ａ（６２１ｂ）付きのインシュレータ６２０ａ（６２０ｂ）に配列、保持する構造となっており、プラグ型コネクタ７００ａ（７００ｂ）は、複数の雄コンタクト７２０ａ（７２０ｂ）及びガイドピン７１０ａ（７１０ｂ）をインシュレータ（図示省略）に配列、保持する構造となっている。
【０００４】
そして、プラグ型コネクタ７００ａ（７００ｂ）のガイドピン７１０ａ（７１０ｂ）を、レセプタクル型コネクタ６００ａ（６００ｂ）のインシュレータ６２０ａ（６２０ｂ）のガイド孔６２１ａ（６２１ｂ）に挿入してこれらレセプタクル型コネクタ・プラグ型コネクタ間を位置決めし、更に、その雄コンタクト７２０ａ（７２０ｂ）を雌コンタクト６１０ａ（６１０ｂ）に挿し込んで、これらレセプタクル型コネクタ・プラグ型コネクタ間を電気的に接続して、親基板８００ｘと子基板９００ｘとを電気的に接続する構成、構造となっている。
【０００５】
なお、この例のフローティング型中継コネクタでは、レセプタクル型コネクタ６００ａ，６００ｂがフローティング型となっているため、その移動方向を制御して正確にプラグ型コネクタ７００ａ，７００ｂと嵌合させるための金具６５０が設けられている（例えば、特許文献１参照）。
【０００６】
【特許文献１】
特開平９−３０６６１３号公報（図１）
【０００７】
【発明が解決しようとする課題】
上述した従来のフローティング型中継コネクタは、複数対のレセプタクル型コネクタ６００ａ（６００ｂ）及びプラグ型コネクタ７００ａ（７００ｂ）で構成され、そのレセプタクル型コネクタ６００ａ（６００ｂ）は、複数の雌コンタクト６１０ａ（６１０ｂ）を、ガイド孔６２１ａ（６２１ｂ）付きのインシュレータ６２０ａ（６２０ｂ）に配列、保持する構造となっており、プラグ型コネクタ７００ａ（７００ｂ）は、複数の雄コンタクト７２０ａ（７２０ｂ）及びガイドピン７１０ａ（７１０ｂ）をインシュレータに配列、保持する構造となっており、ガイドピン７１０ａ（７１０ｂ）をガイド孔６２１ａ（６２１ｂ）に挿入してレセプタクル型コネクタ６００ａ（６００ｂ）・プラグ型コネクタ７００ａ（７００ｂ）間を位置決めし、更に、雄コンタクト７２０ａ（７２０ｂ）を雌コンタクト６１０ａ（６１０ｂ）に挿し込んで、これらレセプタクル型コネクタ・プラグ型コネクタ間を電気的に接続する構成、構造となっているので、小型、狭ピッチ化、多ピン化遂行のために、雌コンタクト６１０ａ（６１０ｂ）及び雄コンタクト７２０ａ（７２０ｂ）の太さを細くしようとしても、それには限界があり、また、フローティング型のためのコンタクト間隔が必要なため、狭ピッチ化、多ピン化（多接続線数化）及び小型化が困難である、という問題点があり、フローティング型であるためにその動きを制御する金具６５０を必要として、コネクタそのもの以外の部材が必要になる、という問題点がある。
【０００８】
また、レセプタクル型コネクタに、子基板の１つの辺部分に配列、形成された複数の電極部分を直接挿入する、カードエッジタイプのコネクタもあるが、前述のものと同様に、フローティング型のためのコンタクト間隔が必要となって、やはり、狭ピッチ化、多ピン化（多接続線数化）が困難であり、また、親基板・子基板間の位置合せ精度の確保、維持が困難であり、隣接コンタクト間の短絡等、接続信頼性が低下する、という問題点がある。
【０００９】
本発明の目的は、これら従来技術の問題点に鑑みて、接続信頼性を向上させると共に、更なる狭ピッチ化、多ピン化、多接続線化及び小型化を推進することができる、フローティング型中継用のコネクタを提供することにある。
【００１０】
【課題を解決するための手段】
本発明のコネクタは、親基板に配列、形成された複数の電極と、前記親基板に搭載される子基板の、１つの辺に沿ってその表面に配列、形成された複数のパッド状電極と、の間を電気的に接続するコネクタであって、次の各構成を有することを特徴とする。
（イ）それぞれその一方の端を前記親基板の複数の電極に対応接続し他方の端側に接触接続部を備えた複数の親側コンタクトと、これら複数の親側コンタクトを、その接触接続部が１つの平面内に配置されるように保持するインシュレータと、を含み、前記親基板の表面に配置、固定される親基板側コンタクト配列部
（ロ）それぞれその一方の端側に前記複数の親側コンタクトの接触接続部と対応接触接続する第１の接点を備え他方の端側には前記子基板の複数のパッド状電極と対応接触接続する第２の接点を備えて弾性線状部材で一体形成された、複数のコンタクトと、これら複数のコンタクトの一方の端側部分を、これらコンタクトが弾性変形可能なように、配列、保持する親側インシュレータと、前記複数のコンタクトの他方の端側部分を、これらコンタクトが弾性変形可能なように、配列、保持して前記子基板の複数のパッド状電極配置方向と平行にスライド可能なように、前記親側インシュレータに保持される子側インシュレータと、を含むコンタクトブロック
（ハ）前記子基板の、複数のパッド状電極の配列両端外側に配置、固定され、前記子側インシュレータの両端側面をガイドして前記複数のパッド状電極と前記複数のコンタクトの第２の接点との間を位置決めする、子基板側ガイド部
（ニ）前記コンタクトブロックを、その複数のコンタクトが前記親基板側コンタクト配列部及び子基板に対し接近、離反する方向にスライド可能なように保持し、かつ、その親側インシュレータの両端側面をガイドして前記複数の親側コンタクトの接触接続部と前記複数のコンタクトの第１の接点との間を位置決めする、フレームインシュレータ
（ホ）前記フレームインシュレータと前記コンタクトブロックとの間に挿入されて前記コンタクトブロックを前記フレームインシュレータ内でスライドさせ、前記複数のコンタクトの第１の接点と前記複数の親側コンタクトの接触接続部との間、及び前記複数のコンタクトの第２の接点と前記子基板の複数のパッド状電極との間、を対応、加圧接触接続させる、スライダ
【００１１】
また、前記コンタクトブロックは、その複数のコンタクトがΣ字状に形成され、このΣ字状の、下辺側の鋭角に屈曲する部分の頂点を第１の接点とし、上辺側の鋭角に屈曲する部分の頂点を第２の接点とし、下辺横線部分が親側インシュレータに保持され、上辺横線部分が子側インシュレータに保持される構造である、構成を有している。
【００１２】
【発明の実施の形態】
本発明の一実施の形態は、親基板に配列、形成された複数の電極と、上記親基板に搭載される子基板の、１つの辺に沿ってその表面に配列、形成された複数のパッド状電極と、の間を電気的に接続するフローティング型中継用のコネクタであって、次の各構成を有している。
（イ）それぞれその一方の端を上記親基板の複数の電極に対応接続し他方の端側に接触接続部を備えた複数の親側コンタクトと、これら複数の親側コンタクトを、その接触接続部が１つの平面内に配置されるように保持するインシュレータと、を含み、上記親基板の表面に配置、固定される親基板側コンタクト配列部
（ロ）それぞれその一方の端側に上記複数の親側コンタクトの接触接続部と対応接触接続する第１の接点を備え他方の端側には上記子基板の複数のパッド状電極と対応接触接続する第２の接点を備えて弾性線状部材で一体形成された、複数の中継コンタクトと、これら複数の中継コンタクトの一方の端側部分を、これら中継コンタクトが弾性変形可能なように、配列、保持する親側中継インシュレータと、上記複数の中継コンタクトの他方の端側部分を、これら中継コンタクトが弾性変形可能なように、配列、保持して上記子基板の複数のパッド状電極配置方向と平行にスライド可能なように、上記親側中継インシュレータに保持される子側中継インシュレータと、を含む中継コンタクトブロック
（ハ）上記子基板の、複数のパッド状電極の配列両端外側に配置、固定され、上記子側中継インシュレータの両端側面をガイドして上記複数のパッド状電極と上記複数の中継コンタクトの第２の接点との間を位置決めする、子基板側ガイド部
（ニ）上記中継コンタクトブロックを、その複数の中継コンタクトが上記親基板側コンタクト配列部及び子基板に対し接近、離反する方向にスライド可能なように保持し、かつ、その親側中継インシュレータの両端側面をガイドして上記複数の親側コンタクトの接触接続部と上記複数の中継コンタクトの第１の接点との間を位置決めする、フレームインシュレータ
（ホ）上記フレームインシュレータと上記中継コンタクトブロックとの間に挿入されて上記中継コンタクトブロックを上記フレームインシュレータ内でスライドさせ、上記複数の中継コンタクトの第１の接点と上記複数の親側コンタクトの接触接続部との間、及び上記複数の中継コンタクトの第２の接点と上記子基板の複数のパッド状電極との間、を対応、加圧接触接続させる、スライダ
【００１３】
また、上記中継コンタクトブロックは、その複数の中継コンタクトがΣ字状に形成され、このΣ字状の、下辺側の鋭角に屈曲する部分の頂点を第１の接点とし、上辺側の鋭角に屈曲する部分の頂点を第２の接点とし、下辺横線部分が親側中継インシュレータに保持され、上辺横線部分が子側中継インシュレータに保持される構造となっている。
【００１４】
このような構成、構造とすることにより、親基板側の複数の電極と子基板側の複数のパッド状電極との間の相対位置関係がずれた場合や高精度に位置決めしなくても、これらの間には中継コンタクトブロックが設けられていて、親側及び子側を別々に位置決めしてそれぞれ正確かつ安定して加圧接触接続することができて接続信頼性を向上させることができ、また、ずれやフローティング量に関係なく、親側及び子側、並びに中継コンタクトそれぞれがその可能な範囲で微細化できるので、更なる狭ピッチ化、多ピン化、多接続線化、及び小型化を推進することができる。
【００１５】
【実施例】
次に本発明の実施例について図面を参照して説明する。
図１は本発明の一実施例を示す分解斜視図、図２はその電極配列方向から見た断面側面図、図３（ａ）〜（ｃ）は親側・子側間の電極相対位置関係にずれがない場合の各部の上面図、側面図、及び断面側面図、図４（ａ）〜（ｃ）は親側・子側間の電極相対位置関係にずれが存在する場合の各部の上面図及び側面図である。
この実施例は、親基板８００の表面に配列、形成された複数のパターン電極８１０ａ（こちら側の、ほぼ全体が見える部分。向側の、わずかに見える部分は８１０ｂ、以下、８１０ａの側と対応する部分にはａの字を付し、８１０ｂ側と対応する部分にはｂの字を付してカッコ内に示す。なお、どちらでも良い場合にはａ，ｂの字は省略する）と、親基板８００に搭載される子基板９００の、１つの辺に沿ってその表面に配列、形成された複数のパッド状電極９１０ａ（９１０ｂ、但し、向う側の面のため見えない）と、の間を電気的に接続するフローティング型中継コネクタであって、その主構成は親基板側コンタクト配列部１００、中継コンタクトブロック２００ａ（２００ｂ）、子基板側ガイド部３００ａ（３００ｂ、但し向う側のため見えない）、フレームインシュレータ４００、及びスライダ５００ａ（５００ｂ）から成り、これらの詳細は次のとおりである。
【００１６】
まず、親基板側コンタクト配列部１００は、それぞれその一端を親基板８００の複数のパターン電極８１０ａ（８１０ｂ）と対応接続し、他方の端側に接触接続部１１１ａ（１１１ｂ）を備えた複数の親側コンタクト１１０ａ（１１０ｂ）と、これら複数の親側コンタクト１１０ａ（１１０ｂ）を、その接触接続部１１１ａ（１１１ｂ）が１つの平面内に配置されるように保持、固定するインシュレータ１２０と、を含み、親基板８００の表面に配置、固定される。
【００１７】
次に、中継コンタクトブロック２００ａ（２００ｂ）は、それぞれが、弾性線状部材によりΣ字状に形成され、その下辺側の鋭角に屈曲する部分の頂点を、親側コンタクト１１０ａ（１１０ｂ）の接触接続部１１１ａ（１１１ｂ）と接触接続する第１の接点２１１ａ（２１１ｂ）とし、その上辺側の鋭角に屈曲する部分の頂点を、子基板９００のパッド状電極９１０ａ（９１０ｂ）と接触接続する第２の接点２１２ａ（２１２ｂ）とする複数の中継コンタクト２１０ａ（２１０ｂ）と、これら複数の中継コンタクト２１０ａ（２１０ｂ）のΣ字状の下辺側の横線部分を、これら中継コンタクト２１０ａ（２１０ｂ）が弾性変形可能なように、配列、保持する親側中継インシュレータ２２０ａ（２２０ｂ）と、Σ字状の上辺側の横線部分を、これら中継コンタクト２１０ａ（２１０ｂ）が弾性変形可能なように、配列、保持して、子基板９００の複数のパッド状電極９１０ａ（９１０ｂ）配置方向と平行にスライド可能なように親側中継インシュレータに保持される子側中継インシュレータ２３０ａ（２３０ｂ）と、を含んで構成される。
【００１８】
次に、子基板側ガイド部３００ａ（３００ｂ）は、子基板９００の、複数のパッド状電極９１０ａ（９１０ｂ）の配列両端外側に配置、固定され、子側中継インシュレータ２３０ａ（２３０ｂ）の両端側面をガイドして、複数のパッド状電極９１０ａ（９１０ｂ）と複数の中継コンタクト２１０ａ（２１０ｂ）の第２の接点との間を位置決めする。
なお、これら子基板側ガイド部３００ａ（３００ｂ）は互いに連結された構造となっている。
【００１９】
次に、フレームインシュレータ４００は、スライダ５００ａ（５００ｂ）が挿入されるスライダ挿入部４１０ａ（４１０ｂ）と、親側中継インシュレータ２２０ａ（２２０ｂ）の両端側面及び底面をガイドする親側ガイド面４２０ａ（４２０ｂ）と、を含んで形成され、中継コンタクトブロック２００ａ（２００ｂ）を、その複数の中継コンタクト２１０ａ（２１０ｂ）が親基板側コンタクト配列部１００ａ（１００ｂ）及び子基板９００に対し接近、離反する方向にスライド可能なように保持し、かつ、親側中継インシュレータ２２０ａの両端側面及び底面をガイドして、複数の親側コンタクト１１０ａ（１１０ｂ）の接触接続部１１１ａ（１１１ｂ）と複数の中継コンタクト２１０ａ（２１０ｂ）の第１の接点２１１ａ（２１１ｂ）との間を位置決めする。
【００２０】
そしてスライダ５００ａ（５００ｂ）は、フレームインシュレータ４００のスライダ挿入部４１０ａ（４１０ｂ）に挿入されて、フレームインシュレータ４００内に保持されている中継コンタクトブロック２００ａ（２００ｂ）をスライドさせて、その複数の中継コンタクト２１０ａの第１の接点２１１ａ（２１１ｂ）と複数の親側コンタクト１１０ａ（１１０ｂ）の接触接続部１１１ａ（１１１ｂ）との間、及び複数の中継コンタクト２１０ａ（２１０ｂ）の第２の接点２１２ａ（２１２ｂ）と子基板９００の複数のパッド状電極９１０ａ（９１０ｂ）との間を対応して加圧接触接続させる。
【００２１】
この実施例では、親基板８００の複数のパターン電極８１０ａと対応して複数の親側コンタクト１１０ａ（１１０ｂ）が親基板８００の表面に配置、固定されて、これら複数の親側コンタクト１１０ａ（１１０ｂ）の接触接続部１１１ａ（１１１ｂ）に対し、複数の中継コンタクト２１０ａ（２１０ｂ）の第１の接点２１１ａ（２１１ｂ）が、親側ガイド面４２０ａ（４２０ｂ）等によりガイドされ位置決めされる一方、子基板９００の複数のパッド状電極９１０ａ（９１０ｂ）に対し、複数の中継コンタクト２１０ａ（２１０ｂ）の第２の接点２１２ａ（２１２ｂ）が、子基板側ガイド部３００ａ（３００ｂ）等によりガイドされ位置決めされる。すなわち、親側と子側とが別々にガイド、位置決めされる。
【００２２】
しかも、複数の親側コンタクト１１０ａ（１１０ｂ）の接触接続部１１１ａ（１１１ｂ）と子基板９００のパッド状電極９１０ａ（９１０ｂ）との間は、弾性変形する複数の中継コンタクト２１０ａ（２１０ｂ）により対応接続する構造となっているので、これらの間の相対位置関係にずれがない場合には図３（ａ）〜（ｃ）に示すように、又、ずれがある場合でも図４（ａ）〜（ｃ）に示すように、何れの場合にも、正確、かつ安定して対応、接続関係を維持することができ、高い接続信頼性を得ることができる。
【００２３】
また、そのずれの量及びフローティング量は中継コンタクト２１０ａ（２１０ｂ）の弾性変形可能な範囲内で、かつ対応接続可能な範囲内であれば良く、従来例のように、親基板・子基板間接続ラインそれぞれに対しフローティング量を加味する必要がないので、親基板側、子基板側、中継コンタクト部分を含む各部それぞれにおいて、その可能な範囲でそれぞれの部材に応じて微細化することができて更なる狭ピッチ化、多ピン化、多接続線化を推進することができ、かつ小型化が可能となる。
【００２４】
【発明の効果】
以上説明したように本発明は、親基板の複数の電極と対応接続する複数の親側コンタクトを、親基板の表面に対し、１つの平面内に配置、保持する親基板側コンタクト配列部を設け、それぞれが第１の接点及び第２の接点を備えて弾性線状部材で一体形成された複数の中継コンタクトと、これら中継コンタクトを、弾性変形可能なように、その両端部分を保持する親側中継インシュレータ及び子側中継インシュレータと、を含み、子側インシュレータが、親側中継インシュレータに対しコンタクト配列方向にスライド可能な構造の中継コンタクトブロックを設け、子基板の複数のパッド状電極配列外側に配置、固定されて子側中継インシュレータの両端側面をガイドする子基板側ガイド部を設け、中継コンタクトブロックをスライド可能なように保持し、かつ親側中継インシュレータの両端側面をガイドするフレームインシュレータを設けて、スライダにより、フレームインシュレータ内の中継コンタクトブロックをスライドさせて、複数の親側コンタクトと複数の中継コンタクトの第１の接点との間、及び子基板の複数のパッド状電極と複数の中継コンタクトの第２の接点との間を、対応、加圧接触接続させる構成、構造とすることにより、親側及び子側を別々に位置合せして親子間の複数の接続線それぞれを正確、かつ安定して接続することができるので、親子の複数の電極間に相対位置関係のずれが生じた場合や高精度な位置合せをしなくても、隣接電極間の短絡もなく、接続信頼性を向上させることができ、中継コンタクトにより各接続ラインのフローティング量を吸収することができて、各部それぞれが可能範囲で微細化することができるので、更なる狭ピッチ化、多ピン化、多接続ライン化、及び小型化を推進することができる、という効果がある。
【図面の簡単な説明】
【図１】本発明の一実施例を示す分解斜視図である。
【図２】図１に示された実施例の電極配列方向から見た断面側面図である。
【図３】図１に示された実施例の、親側・子側間の電極相対位置関係にずれがない場合の各部の上面図、側面図及び断面側面図である。
【図４】図１に示された実施例の、親側・子側間の電極相対位置関係にずれが存在する場合の各部の上面図及び側面図である。
【図５】従来のフローティング型中継コネクタの一例を示す結合前の斜視図である。
【符号の説明】
１００  親基板側コンタクト配列部
１１０，１１０ａ，１１０ｂ  親側コンタクト
１１１ａ，１１１ｂ  接触接続部
１２０  インシュレータ
２００，２００ａ，２００ｂ  中継コンタクトブロック
２１０，２１０ａ，２１０ｂ  中継コンタクト
２１１ａ，２１１ｂ，２１２ａ，２１２ｂ  接点
２２０，２２０ａ，２２０ｂ  親側中継インシュレータ
２３０，２３０ａ，２３０ｂ  子側中継インシュレータ
３００，３００ａ  子基板側ガイド部
４００  フレームインシュレータ
４１０，４１０ａ，４１０ｂ  スライダ挿入部
４２０，４２０ａ，４２０ｂ  親側ガイド面
５００，５００ａ，５００ｂ  スライダ
６００ａ，６００ｂ  レセプタクル型コネクタ
６１０ａ，６１０ｂ  雌コンタクト
６２０ａ，６２０ｂ  インシュレータ
６５０  金具
７００ａ，７００ｂ  プラグ型コネクタ
７１０ａ，７１０ｂ  ガイドピン
７２０ａ，７２０ｂ  雄コンタクト
８００  親基板
８１０ａ，８１０ｂ  パターン電極
９００  子基板
９１０ａ，９１０ｂ  パッド状電極
【図１】
2004273129.tif 000003
【図２】
2004273129.tif 000004
【図３】
2004273129.tif 000005
【図４】
2004273129.tif 000006
【図５】
2004273129.tif 000007